(57)【要約】      （修正有）【課題】ボールと目標を結ぶラインの真上にプレーヤーの目を定めることができ、目標に向ってストロ−クするとき、ラインに対するパターフェイスの直角度の認識ができること、さらにパターに簡単に着装でき、確認練習が終ったならばパターから取外してゴルフバッグに収納しておくことができる簡易パッティング練習器を提供する。【解決手段】視点がゴルフボールの直上にあるかを確認するための視点位置確認手段と、打球方向に対しパターフェイスが直角に置かれているか否かを確認するためのライン確認手段と、視点位置確認手段をパターに取付ける取付台座とでパッティング練習器を構成した。そして、視点位置確認手段は、覗きパイプ２と覗きパイプ２の下部に紐又は糸で吊り下げられた錘り４とからなり、ライン確認手段は、一対の方向確認片５であって、取付台座６を介しパターに取付けたとき、方向確認片５とパターヘッド８’が９０°の角度をなすよう取付けた。【選択図】図１
0003105267.tif 000002
【実用新案登録請求の範囲】
【請求項１】
視点がゴルフボールの直上にあるかを確認するための視点位置確認手段と、
ゴルフボールの打球方向に対しパターフェイスが直角に置かれているかを確認するための前記視点位置確認手段に取付けたライン確認手段と、
前記視点位置確認手段をパターに取付ける取付台座からなり、
前記視点位置確認手段は、覗きパイプと覗きパイプの下部に可撓性を有する紐又は糸で覗きパイプと同心位置に吊り下げられた錘りとからなり、
前記ライン確認手段は、前記覗きパイプの両側位置に前記打球方向に向けて取付けられた一対の方向確認片であって、前記取付台座を介しパターに取付けたとき、前記方向確認片とパターヘッドが９０°の角度をなして取付られることを特徴とする
パッティング練習器。
【請求項２】
前記視点位置確認手段の覗きパイプがリングと、リングの下部に取付けられ、前記錘を吊下げる紐又は糸を取付ける支柱とからなる請求項１記載のパッティング練習器。
【請求項３】
前記視点位置確認手段の覗きパイプが上下２個のリングとこれらを連結する２本の支柱とからなる請求項１記載のパッティング練習器。
【請求項４】
前記両側に方向確認片を具えた覗きパイプの下部に、前記覗きパイプと同径で両側に前記方向確認片と平行する一対の翼片を具えた短尺パイプを１個又は２個前記覗きパイプと同心位置に紐又は糸で吊し、最上部の前記方向確認片は上面を黒色に塗装し、２段目以下の前記翼片にはその上面にマイクロプリズムを貼着したことを特徴とする請求項１記載のパッティング練習器。
【請求項５】
前記覗きパイプの下部に、さらに支持部材で支持された方向確認部材を有し、該方向確認部材は前記打球方向に向け平行に隔設された２枚の隙間形成部材よりなり、これら隙間形成部材の対向面に前記錘吊下げ用紐又は糸の引掛り溝を有している請求項１記載のパッティング練習器。
【請求項６】
前記方向確認片の端部間に、平行に２枚の円弧状銅板片を取付け、これら２枚の円弧状銅板片間に導電体よりなる錘を導電体よりなる吊具で揺動可能に吊持し、前記方向確認片の上面に電池及び発光体を取付け、前記錘と円弧状銅板片が接したとき、前記電池と発光体及び円弧状銅板片及び錘の吊具を電気的に導通可能としたことを特徴とする請求項１記載のパッティング練習器。
【考案の詳細な説明】
【技術分野】
【０００１】
本考案はゴルフにおけるパッティング練習器に関するものである。
【背景技術】
【０００２】
ゴルフにおいて、グリーン上でのパッティングのストロークは全ストロークの略半分もあり、その重要性は何人も認めるところである。このパッティングの安定化のためには、（１）ボールの真上にプレーヤーの目を定め、（２）パター・フェースを、プレーヤーが決めた目標とボールを結ぶラインに対し直角にセットし、（３）しかるのち前方の目標とボールを結ぶライン上をボールが転るように打出すこと、が必要である。
【０００３】
上に述べたパッティングの安定化要因は周知である。しかしこれの実行は容易でない。この安定化要因を実際のプレーに実現するための練習方法あるいは練習用具について、これまで数多くの提案がされている。しかし手軽に携帯でき、ゴルフ練習場は勿論、実際のゴルフ場の練習グリーンでゴルフバッグから取出してその日に使うパターに取付け、パッティングの安定性を確認することができ、確認したならばこれをゴルフバッグに簡単に収納しておくことができる手軽な練習用具は見当らないというのが現状である。
【考案の開示】
【考案が解決しようとする課題】
【０００４】
パッティングの安定化の要因即ち、（１）ボールと目標を結ぶラインの真上にプレーヤーの目を定めることができ、（２）設定した目標に向ってストロ−クするとき、ラインに対してパターフェイスが直角に置かれているか否か、即ちラインに対するパターフェイスの直角度の認識ができること、さらに（３）プレーで実際に使用するパターに簡単に装着でき、確認練習が終ったならばパターから取外してゴルフバッグに収納しておくことができること、以上の３点を可能とする簡易パッティング練習器を提供することを課題とする。
【課題を解決するための手段】
【０００５】
（１）視点がゴルフボールの直上にあるかを確認するための視点位置確認手段と、ゴルフボールの打球方向に対しパターフェイスが直角に置かれているか否かを確認するための前記視点位置確認手段に取付けたライン確認手段と、視点位置確認手段をパターに取付ける取付台座とでパッティング練習器を構成した。そして、前記視点位置確認手段は、覗きパイプと覗きパイプの下部に可撓性を有する紐又は糸で覗きパイプと同心位置に吊り下げられた錘りとからなり、ライン確認手段は、前記覗きパイプの両側位置に前記打球方向に向けて取付けられた一対の方向確認片であって、前記取付台座を介しパターに取付けたとき、前記方向確認片とパターヘッドが９０°の角度をなすよう取付けた。
（２）そして、前記視点位置確認手段の覗きパイプをリングと、リングの下部に取付けられ、前記錘を吊下げる紐又は糸を取付ける支柱とで構成した。
（３）また前記視点位置確認手段の覗きパイプを、上下２個のリングとこれらを連結する２本の支柱とで構成した。
（４）前記両側に方向確認片を具えた覗きパイプの下部に、前記覗きパイプと同径で両側に前記方向確認片と平行する一対の翼片を具えた短尺パイプを１個又は２個前記覗きパイプと同心位置に紐又は糸で吊し、最上部の前記方向確認片は上面を黒色に塗装し、２段目以下の前記翼片にはその上面にマイクロプリズムを貼着して構成した。
（５）また、前記覗きパイプの下部に、さらに支持部材で支持された方向確認部材を設け、該方向確認部材は前記打球方向に向け平行に隔設された２枚の隙間形成部材よりなり、これら隙間形成部材の対向面に前記錘吊下げ用紐又は糸の引掛り溝を設けた。
（６）さらに、前記方向確認片の端部間に、平行する２枚の円弧状銅板片を取付け、これら２枚の銅板片間に導電体よりなる錘を導電体よりなる吊具で揺動可能に吊持し、前記方向確認片の上面に電池及び発光体を取付け、前記錘と円弧状銅板片が接したとき、前記電池と発光体及び円弧状銅板片及び錘の吊具を電気的に導通可能とした。
【考案の効果】
【０００６】
パッティング練習器に視点位置確認手段と、ライン確認手段とを一体に設け、これらを取付台座でパターに取付けできるようにしたので、ボールと目標を結ぶラインの真上に目を置くことができ、さらにライン確認手段で同時に方向性をも確認できるので、パターの必要要件を簡単な用具で完全に満たすことができる。
【０００７】
そしてこのような練習器を練習時に取付台座でパターの適所に簡単に着脱できるので、本番以外には取外してゴルフバッグに収納しておくことができる。
【０００８】
視線位置確認手段を覗きパイプと錘の組合せで構成したので、簡単な用具でゴルフボールの真上に視点を置くことができるようになった。
【０００９】
ライン確認手段を覗きパイプに対称的に設けた方向確認片で構成したので、ゴルフボールと設定した目標を結ぶラインに容易に合致させることができる。
【００１０】
ライン確認手段を前記方向確認片に、さらに方向確認部材とマイクロプリズムの組合わせを付加したのでさらに精度の高い確認が可能となった。
【００１１】
また、ライン確認手段を錘の揺動のずれで接触する円弧状銅板片を設け、接触すると錘、錘の吊具を介して電流を流し、発光体を発光させて感知できるようにしたので、さらに精度の高い確認が可能になった。
【考案を実施するための最良の形態】
【００１２】
図に基づいて説明する。
図１は本考案に係るパッティング練習器の一実施形態である。本考案に係るパッティング練習器は、アクリル材等でできた覗きパイプ２と、覗きパイプ２の下端に可撓性を有する吊り紐又は吊り糸３で吊られた錘り４とで構成される視点位置確認手段と、覗きパイプ２の両側部に打球線の方向に向けて左右対称的に取付けた方向確認片５とで構成されている。
【００１３】
図１の場合、覗きパイプ２の下端に吊り糸３で吊られている錘り４は覗きパイプの２の軸心と同心である。したがって覗きパイプ２の上方からプレーヤーが覗き込んだとき、覗きパイプ２を通し、錘り４そしてゴルフボールの頂点１１を覗き見ることができ、錘４とゴルフボール１０の頂点１１が合致すれば、ゴルファーの目はボール１０の真上に位置していることになる。
【００１４】
覗きパイプ２の両側下部には、斜下向きに取付られた一対の方向確認片５が１８０°隔てられて左右対称に対をなして設けられている。
【００１５】
対称的に対をなして設けた方向確認片５のうち、一方の方向確認片５に例えばアルミ材を折り曲げ加工した取付台座６が両面接着剤７等で固着又は着脱自在に取付けられている。取付台座６の下端は強力接着剤又は吸盤等９等で練習開始に先立ちパター８へ取付けられる。この場合パター８にはパターフェイス８’が方向確認片５と直角になるよう取付ける必要がある。
【００１６】
前記取付台座６でパター８に取付けた場合、前記錘り４は図１に示す如く地表面から上方に５０mm程度離れるのが好ましい。
【００１７】
（パッティング練習器の使用法）
（１）ゴルフボール１０の真上にプレーヤーの目１２を定めるには：
図１に示す如く、ボール１０の頂部１１に向ってアドレスし、覗きパイプ２の上方から覗き込み、下方の錘り４がボール１０の頂部１１と合致するようにする。
（２）次にこの状態で、前後の方向確認片５を打ち出そうとするラインと合致させて「ずれ」のないようにすれば、プレーヤーの目１２はボール１０の真上で、かつパター８のフェイス８’もラインと直交し、この状態でパットすればボール１０はボールと設定した目標とを結ぶライン上を正しく転がることになる。
（３）以上の練習をし、パッティングの感覚をつかんだのち、パッティング練習器１をパター８から外し、ゴルフバッグに納めてティインググラウンド向うならば、安心して本番プレーをスタートすることができる。
【００１８】
（その他の実施の形態）
ａ）視点位置確認手段の他の実施形態
図１の覗きパイプ２はパイプでなくても、図２（ａ）の如く１個のリング２ａと、このリング２ａに固着した支柱２ｂとで構成し、この支柱２ｂの下端にリング２ａと同心に取付けた紐又は糸３の下端に錘り４を吊ったものでもよい。
【００１９】
又図２・ｂの如く、上下２個の同径のリング２ｃを２本の支柱２ｄの上下に取付けたものでもよい。図示しないが方向確認片５は支柱２ｂ（図２・ａ）又は２ｄ（図２・ｂ）に固着するものとする。
【００２０】
ｂ）目標とゴルフボールを結ぶラインとの「ずれ」を確認するライン確認手段の他の実施形態（その１）
図１でのべたライン確認片５で精度の良いパッティングを行うことができるが、これにさらに図３に示す如き精度向上用の補助具をつけることも考えられる。
【００２１】
図３の実施形態は、覗きパイプ２の両側に方向確認片５を、１８０°隔てて左右対称的に固着した点、及び錘り４を取付けた点は図１と同様である。
【００２２】
この実施形態では、方向確認片５は最上部の覗きパイプ２の両側に取付けられている。そして方向確認片５の下部に、短尺パイプ１３とこれの両側に対称的に翼片１４を取付けたものを覗きパイプ２と短尺パイプ１３が同心になるよう紐又は糸１６で吊ることで、よりラインの精度を高めることができる。そして翼片１４上にマイクロプリズム１５（図４）を貼付けたものを、複数個（図では２段）前記方向確認片５の下方に等間隔に紐又は糸１６で吊り下げている。そして前記方向確認片５の上面には黒色塗料１７を塗り付けている。
【００２３】
このような構成であるからプレーヤーが覗きパイプ２の上方から短尺パイプ１３を通して錘り４を覗き込み、錘り４がゴルフボール１０の直上の点１１に合致すればゴルファーの目はゴルフボール１０の直上にあることがわかる。
【００２４】
次に方向の確認であるが、方向確認片５が所定のラインと合致すれば図１の場合ではよかったのであるが、この実施形態では、方向確認片５は勿論、その下に吊られたマイクロプリズム１５を貼り付けた翼片１４も所定のラインと合致する必要がある。このとき合致すれば方向確認片５上の黒色塗料１７のみが見える筈である。しかし、正確にラインと方向確認片が一致しないと、或いはまだ体が動揺していると、黒色のみでなく、マイクロプリズム１５が揺れてマイクロプリズム１５がピカピカ光るのが見える。従って、マイクロプリズム１５のピカピカがなくなった状態の感覚を覚えることにより、正しいパッティングの姿勢を体得することができる。
【００２５】
ｃ）ライン確認手段の他の実施形態（その２）
図５・ａは前記図２・ａの支柱２ｂの下端に紐又は糸３で錘４を吊したものにおいて、支柱２ｂの下部に斜めに取付けた一対の支持部材１８を取付け、これら支持部材１８の下部に隙間形成部材１９を取付けたものである。
【００２６】
隙間形成部材１９は図５・ｂに示す如く２枚の板１９ａで構成され、２枚の板はその間に平行通路１９ｂを形成し、この通路１９ｂを前記糸３が目標とゴルフボールとを結ぶライン方向に揺動可能にセットされる。通路１９ｂは勿論その隙間幅ｗ（図５・ｂ）を調整可能である。この通路１９ｂを形成する隙間形成部材１９ａには、その対向面に引掛け溝１９ｃが設けられている。これれ引掛け溝１９ｃは図５の例では渦巻状をしており（引掛け溝の形状は任意である）、前記紐又は糸３が通路１９ｂをライン方向に揺動するとき、プレーヤーが目標に対し正しい姿勢でアドレスしていれば問題ないが、アドレス方向が正しくなく、あるいは身体が揺れているような場合には、紐又は糸３が通路１９ｂの真中を通らないで、通路１９ｂ内で揺れ動き、紐又は糸３が渦巻状の引掛け溝１９ｃに引掛かって、その動きが止まり、ラインに対するパターヘッドの直角性が正しくないのを機械的に確認できる。
【００２７】
ｄ）ライン確認手段の他の実施形態（その３）
図６・ａは覗きパイプ２の下端に固設した方向確認片５に電気的にラインの確認の精度をより向上させる手段を取付けたものである。
【００２８】
方向確認片５の下部に円弧状の銅板片２０を平行させて取付けて、一対の銅板片２０間に錘４が揺動する通路を設けている。方向確認片５の上面にはボタン電池２１と発光体２５を設け、このボタン電池２１と発光体２５は前記一対の銅板片２０を介し導線２２で導通している。
【００２９】
この実施形態では、錘４とこれを吊る吊糸２３、吊糸２３の取付部２４（図６・ｂ）はすべて導体で構成される（図５・ｂ）。
【００３０】
図６・ｃは吊糸２３の２例を示し、右側は吊糸が銅製チェーン２３ａで、又左側は鋼製糸２３ｂである。図６・ｄで、２５は発光ダイオード等の発光体である。
【００３１】
このような構成であって、錘４が一対の銅板片２０内の通路を銅板片２０に接触することなく揺動したときはプレーヤーのアドレスが正しいが、錘４が正しい軌道で揺動しないと、錘４は通路をそれて、２枚のうち何れかの銅板片２０に接する。するとボタン電池２１と発光体２４が導線２２、銅板片２０、錘４の吊り具２３を介して導通し発光する。この発光した状態ではアドレス姿勢が悪いことが判る。このように電気的に精度の高いライン確認をすることも可能である。
（取付台座のパターへの取付けについて）
【００３２】
以上のようなパター練習器であるが、これをパターに取付けるには、取付られるパターの種類が千差万別であるが、次の諸点を考慮して取付ける。
（１）パターフェースの空いたところ利用し吸盤あるいは両面テープ等で取付ける。
（２）パターの上部を利用してグリップや吸盤・テープ等で取付ける。
（３）シャフトの基部を利用し取付ける。この際台座の材料としては常温では硬いが、温度を上げることで容易に変形できる材料を用いればパター形状の変化に容易に対応できる。
【図面の簡単な説明】
【００３３】
【図１】パッティング練習器基本形の正面図（パターの背面に取付けた状態を示す）。
【図２】覗きパイプの他の実施形態を示し、（ａ）はリングと支柱、（ｂ）は２つのリングと２本の支柱の例を示す。
【図３】ライン確認手段の他の実施形態の全体正面図。
【図４】図３の方向確認片の拡大図。
【図５】ライン確認手段の第２の実施形態を示し、（ａ）は全体正面図、（ｂ）は方向確認部材の拡大詳細図。
【図６】ライン確認手段の第３実施形態を示し、（ａ）は全体斜視図、（ｂ）は錘及びその吊り元部、（ｃ）は導電性吊糸の詳細図、（ｄ）は発光装置取付部の詳細を示す。
【符号の説明】
【００３４】
１  パッティング練習器              ２  覗きパイプ
３  紐又は糸                        ４  錘り
５  方向確認片                      ６  取付台座
７  両面接着剤                      ８  パター
8'  パターフェース                  ９  接着剤又は吸盤等
10  ゴルフボール                    11  （ゴルフボールの）頂部
12  目                              13  短尺パイプ
14  翼片                            15  マイクロプリズム
16  紐又は糸                        17  黒色塗料
18  支持部材                        19  隙間形成部材
20  （円弧状）銅板片                21  ボタン電池
22  導線                            23  （導電性）吊り具
24  （導電性吊具の）取付部          25  発光体
【図１】
0003105267.tif 000003
【図２】
0003105267.tif 000004
【図３】
0003105267.tif 000005
【図４】
0003105267.tif 000006
【図５】
0003105267.tif 000007
【図６】
0003105267.tif 000008